【事件の表示】
　平成　５年特許願第１４４８５７号「内視鏡システム及び内視鏡システムの制御方法」拒絶査定不服審判事件〔平成　６年　３月１５日出願公開、特開平　６−　７０８７８〕について、次のとおり審決する。
【結　論】
　本件審判の請求は、成り立たない。
【理　由】
１．手続の経緯
　本願は、平成５年６月１６日（優先権主張：平成４年７月３日、出願番号：特願平４−１７７１９２号）の出願であって、平成１５年６月１２日付で拒絶査定がなされ（発送日：平成１５年６月１６日）、これに対し、平成１５年７月１５日に拒絶査定に対する審判請求がなされたものである。
　
　
２．本願発明について
　本願請求項１に係る発明（以下、「本願発明」という）は、当審で提出された平成１８年５月２２日付手続補正書により補正された明細書及び図面の記載からみて、その特許請求の範囲の請求項１に記載された次の事項により特定されるとおりのものと認める。
　
「複数の内視鏡機器及び当該内視鏡機器と共に使用される複数の周辺機器を接続可能とし、これら複数の接続機器のうち接続された接続機器を制御する内視鏡システムにおいて、
　所定の複数の画面を階層構造とした第１の画面系列における最上層であって、前記複数の接続機器のうち所定の第１の接続機器に対応した複数の所定機能に係る操作の実行を指示するための複数の操作実行ボタンを有する第１の操作実行画面を所定の表示手段に表示する第１の操作実行画面表示制御手段と、
　前記第１の画面系列とは異なる第２の画面系列の最上層であって前記第１の接続機器とは異なる、前記複数の接続機器のうち所定の第２の接続機器に対応した複数の所定機能に係る操作の実行を指示するための複数の操作実行ボタンを有する第２の操作実行画面を前記表示手段に表示する第２の操作実行画面表示制御手段と、
　前記第１の操作実行画面表示制御手段により前記表示手段に表示される前記第１の操作実行画面と前記第２の操作実行画面表示制御手段により前記表示手段に表示される前記第２の操作実行画面との何れかを選択するための、前記各操作実行画面に対応して設けられた操作実行画面選択スイッチを前記表示手段に表示する第１の操作実行画面選択スイッチ表示制御手段と、
　前記操作実行画面選択スイッチの操作により、前記第１の操作実行画面が選択されたときは前記第１の操作実行画面表示制御手段を制御して当該第１の操作実行画面を前記表示手段に表示し、前記第２の操作実行画面が選択されたときは前記第２の操作実行画面表示制御手段を制御して当該第２の操作実行画面を前記表示手段に表示するよう制御する操作実行画面選択表示制御手段と、
　前記操作実行画面選択表示制御手段の制御下に、前記表示手段に前記第１の操作実行画面が表示されているときは、前記第１の画面系列の中で前記第１の操作実行画面より下層に位置する画面であって前記第１の接続機器に対応する前記操作実行ボタンに係る機能の設定を行うための第１の機能設定画面を選択するための第１の機能設定画面選択スイッチ群を前記表示手段に表示するよう制御する機能設定画面選択スイッチ表示制御手段と、
　前記第１の機能設定画面選択スイッチ群の操作により、前記第１の機能設定画面が選択されたときは当該第１の機能設定画面を前記表示手段に表示するよう制御する機能設定画面表示制御手段と、
　前記機能設定画面表示制御手段により前記表示手段に前記第１の機能設定画面が表示されているときに、前記第１の操作実行画面選択スイッチ表示制御手段を制御して、前記操作実行画面選択スイッチを前記表示手段に表示するよう制御する第２の操作実行画面選択スイッチ表示制御手段と、
　前記第２の操作実行画面選択スイッチ表示制御手段により前記表示手段に前記操作実行画面選択スイッチが表示されている際に該操作実行画面選択スイッチによる前記操作実行画面の選択操作がされた場合、当該表示手段における表示に拠らず、当該選択操作に対応した操作実行画面を表示する操作実行画面強制表示制御手段と、
を具備したことを特徴とする内視鏡システム。」
　
　
３．当審の拒絶理由
   一方，当審において平成１８年３月１６日付けで通知した拒絶の理由の概要は，本願発明は，本願の優先権主張の日前の平成３年１２月１３日に頒布された、特開平３−２８４２３０号公報（以下，「引用例１」という。）、及び同じく本願の優先権主張の日前の　平成１年１０月１８日に頒布された、特開平１−２６１６６７号公報（以下，「引用例２」という。）に記載された発明に基づいて当業者が容易に発明をすることができたものであるから，特許法２９条２項の規定により特許を受けることができない，というものである。
　
　
４．引用例
（１）引用例１には、図面とともに次の記載がある。
 （１ａ）作用効果に関し；
「本発明では、内視鏡装置を構成する光源装置等の使用頻度等の高い主要な機器とインターフェースで接続して、これらを制御する制御用コンピュータと、前記主要な機器の操作を集中して行なうことのできる操作パネルを設けた操作用コンピュータを設けることにより、制御用コンピュータで主要な機器を制御し、且つ操作用コンピュータを操作することで主要な機器の動作を集中して操作できるようにして操作性のよい装置を実現している。」（第２頁左上欄１７行−右上欄５行） 
 （１ｂ）種類の異なる複数の内視鏡装置が接続可能であることに関し；
「第１図を参照して前述したようにこのラップトップパソコン３及びタッチパネル２は、本体１１内の制御用パソコン４と接続され、且つ制御用パソコン４はさらに電子スコープ用ＶＳＣ５、光源装置６と接続されている。また光源装置６は、電子スコープ１６の場合と、ファイバスコープの場合と、ファイバスコープにテレビカメラが装着された場合のいずれのモードにも対応できるようにしてある（制御用パソコン４を介して、その動作を制御できる）。」（第４頁右下欄６−１５行） 
 （１ｃ）各内視鏡装置の種類毎に動作モードが存在することに関し；
「尚、第１１図及び第１２図において、ＣＶ−１００は電子スコープ用ＶＳＣ５を表わし、従って、ＣＶ−１００モードは電子スコープ使用での動作モードを示す。又、ＣＣＵモード又は光源ＣＣＵモードはファイバスコープにＴＶカメラを装着した状態での光源装置６の動作モードを示す。さらに、ＯＥＳモードは、ファイバスコープ（ＯＥＳと略記）を用いた状態での動作モードを示す。・・・。又、上記３つのモードでない場合には、データモードと判断して、ラップトップパソコン３へスイッチ処理とコマンド送信を行う。」（第５頁左上欄３−２０行） 
 （１ｄ）上記各モード毎に画面が存在し、それらが切り替え表示されることに関し；
「第１１図(C）、(D）、(E）は、ＣＶ−１００、ＯＥＳモード、ＣＣＵモードでのスイッチ処理の内容を示す。例えば第１１図(C）において、入力されたコマンドが画面切換えか否かを判断し、画面切換えのコマンドであると判断した場合には、ＣＣＵキー、ＯＥＳキー、データキーのいずれであるかを判断して、判断したモードの画面を表示するようにする。例えば、ＣＣＵキーと判断した場合には第１２図(B）に示す画面を出し、ＯＥＳキーと判断した場合には同図(C）に示す画面を出し、データキーと判断した場合には同図(D）に示す画面を出す。第１１図(C）において、いずれの画面切換えのモードでないと判断した場合にはＣＶ−１００での各スイッチのステータス切換えを行った後、第１１図(B）のデータモードでの処理に移る。」（第５頁右上欄９行−左下欄４行） 
 （１ｅ）上記各モードに直接切換える切換キーが各画面の下部に表示される点に関し；
「尚、例えば第１２図(A）において、画面の下側のＣＶ１００、ＣＣＵ、ＯＥＳ、ＤＡＴＡ等が画面切換キー（ＳＷ）である。又、これらの画面切換キーの上側のキー（ＳＷ）は、ＣＶ１００を操作するためのものである。」（第５頁左下欄７−１２行）
 （１ｆ）データモードの表示が階層構造を備えている点に関し；
「さらに、第１１図(Ｆ）はデータモードでの処理内容を示す。データモードと判断した場合には、ＰＲＥＳＥＴキー、ＲＥＣＡＬＬキー、ＴＩＴＬＥキー、ＥＸＴＥＮＤ ＣＯＭＭＥＮＴキー、ＳＴＯＲＥキーのいずれであるかの判断を行う。各判断に応じて第１２図(E）、(F）、(G）、(H）、(I）の画面を表示する。又、ＳＴＯＲＥキーの画面の場合には、入力モードであると、第１２図(J）の画面を出す。」（第５頁左下欄１５行−右下欄２行）　
 （１ｇ）内視鏡装置以外の周辺機器が接続されている点に関し；
「第４図に示すように、本体１１の背面には・・・電気メスパネル２８Ａ、熱凝固処置具パネル２３Ａ・・・が臨む」（第４頁左上欄１０−１８行）
 （１ｈ）表示手段と表示制御手段とに関し；
「集中操作部を構成するタッチパネル２を設けたラップトップパソコン・・・３と、これらタッチパネル２及びラップトップパソコン３とそれぞれ・・・接続され、この装置１を構成する構成機器を制御ないしは管理する制御用パソコン・・・とから構成される」（第２頁左下欄６−１６行）
 （１ｉ）「タッチパネル２は・・・ラップトップパソコン３の表示画面に取付けられたこのタッチパネル２のどの部分が押された・・・かを検出して・・・制御用パソコン４のＩ／Ｏポートに、タッチ検出及び座標データが入力される。そして、制御用パソコン４は、押された部分のスイッチに応じて、ラップトップパソコン３に表示画面を切換えさせるためのコマンドをケーブル３ａを介して送信する。・・・上記ラップトップパソコン３は、制御用パソコン４からのコマンドにより、表示画面を切換え」（第２頁左下欄１７行−同右下欄１６行）
 （１ｊ）各モードの操作用画面に於いて、各モードに対応する機器の操作用の複数のキーが表示されている点を示す図として、第１２図(A),(B),(C),(D)。
　
　これらの記載を参照すると、引用例１には、次の発明が記載されている（以下、「引用発明１」という。）。
　
「電子スコープ、ファイバスコープ、及びファイバスコープにテレビカメラが装着された機器が接続可能であり、また、電気メス及び熱凝固処置具が接続された内視鏡装置に於いて、
電子スコープ使用での動作モードを示すＣＶ−１００モードは、ＣＶ１００のステータス切換えを行うための複数のキー（スイッチ）をラップトップパソコンの表示画面に表示し、
ファイバスコープにＴＶカメラを装着した状態での光源装置６の動作モードを示すＣＣＵモードでは、ＣＣＵを操作するための複数のキーがラップトップパソコンの表示画面に表示され、
該各動作モードに対応する画面は、該モード間を相互に切換えるＣＶ１００、ＣＣＵ、ＯＥＳ、ＤＡＴＡ等の画面切換キー（ＳＷ）を備え、
ラップトップパソコンの表示画面にはタッチパネルが取付けられ、該タッチパネルは、そのどの部分が押されたかを検出して制御用パソコンに、タッチ検出及び座標データを入力し、該制御用パソコンは、押された部分のスイッチに応じて、ラップトップパソコン３に表示画面を切換えさせるためのコマンドをケーブル３ａを介して送信し、前記ラップトップパソコンは、制御用パソコンからの前記コマンドにより、表示画面の切換えを行い、
例えばＣＶ−１００モードに於いて、上記画面切換キーの一つであるＣＣＵキーが押された場合には、ＣＶ−１００モードの表示をＣＣＵモードの画面に切り換えて表示するように制御してなる内視鏡装置。」
　
（２）引用例２には、図面とともに次の記載がある。
 （２ａ）タッチパネル式設定画面を複数系列について階層構造化する点に関し；
「本発明は、原稿書類からコピーを作成する複数の関連するサブシステムを備えた複写機であって、ａ）複写機をプログラムするためのプログラミング・オプションを表示する画面、ｂ）タッチされたプログラミング・オプションを識別するためのタッチ検出手段、ｃ）タッチされたプログラミング・オプションを記憶させるための記憶手段、およびｄ）記憶手段に記憶されたプログラムに応じて複写機を動作させる制御手段から成るユーザー・インタフェースを備えた複写機を提供する。画面の表示は複数の一次ファイル・カードを有する第１のカード・ファイルを模擬しており、それぞれの一次ファイル・カードに付いている識別タブにタッチすると、選択された一次ファイル・カードが開いて、複数の二次ファイル・カードを有する第２のカード・ファイルと隣接する作業域がモニター画面に表示される。それぞれの二次ファイル・カードに付いている識別タブにタッチすると、選択された二次ファイルカードが開いて、複写機の種々の機能をプログラムするための複数の第１レベル・プログラム選択アイコンが画面に表示される。次に前記第１レベル・プログラム選択アイコンにタッチすると、複写機のサブシステムをプログラムするために使用する複数の第２レベル・プログラム選択アイコンが作業域に表示される。」（第２頁右下欄２０行−３頁右上欄５行） 
 （２ｂ）第１系列の第１階層表示画面に関し；
「「現在ジョブ」状態に入ると、「標準」、「連続紙」、「オーバーサイズ」のタブの付いた対話進路ファイルばさみ２６０が表示され、スコアカード２７０の形でいろいろな対話進路選択を提示する。」（第８頁右上欄１６−１９行）
 （２ｃ）第１系列の第２階層表示画面に関し；
「次に、第１７図〜第５２図について説明する。まず「標準」対話進路ファイルばさみを選択すると、以下のオプション（すなわち、第１レベル・プログラム選択アイコン）を有する「プログラム」スコアカード２７０がオペレータに提示される。」（第９頁左上欄８−１２行） 
 （２ｄ）「「コピー品質」アイコン３１６：（第３３図〜第３６図参照）：“ジョブ完了”の場合に、このアイコンを選択すると、「標準」（アイコン５００）、「明」（アイコン５０２）、「フォト」（アイコン５０４）、「暗」（アイコン５０８）、「中間調」（アイコン５１０）、「ブルーテキスト」（アイコン５１２）、「貼付」（アイコン５１４）で識別した一連のプリセット値が画像の形で表示される。さらに、オペレータが調整できるように、スケール表示部を有する「コピー像」制御装置５１６と、「特別制御」ボタン５２０が提示される。「特別制御」ボタン５２０にタッチすると、作業選択域２４０に、スケール表示部５２２を有する「露光」制御装置５２１と、スケール表示部５２６を有する「濃度」制御装置５２４と、スケール表示部５３０を有する「フォト・コントラスト」制御装置５２８と、「プリセット」ボタン５３４と「リセット」５３６が表示される。ボタン５３４，５３６は、現在の選択値を表示する。オペレータは、制御装置５２１，５２４，５２８と共にボタン５３４，５３６を操作して、露光、濃度、およびフォト・コントラストを変更することができる。」（第１０頁左上欄１７行−右上欄１７行） 
 （２ｅ）「第５３図は、「現在ジョブ」モードにおいて、「連続紙」ファイルばさみをタッチすることによって表示されたモニター画面の前面図、」（第１３頁右下欄８−１０行）
 （２ｆ）「第５４図は、「現在ジョブ」モードにおいて、「オーバーサイズ」ファイルばさみをタッチすることによって表示されたモニター画面の前面図である。」（第１３頁右下欄１１−１３行） 
　
 （２ｇ）「各ファイルばさみ２６０には、ファイルばさみで代表する対話進路を識別するために、例えば「標準」、「連続紙」、「オーバーサイズ」、等のタッチタブ２６２が上縁から突き出ている。現在表示されているファイルばさみ２６０の下に隠れたファイルばさみを表示したいとき、シャッフルしなくてもファイルばさみを区別できるように、各タブ２６２は、互いに位置がずれているので、どのファイルばさみ２６０が表示されても、タブ２６２は常に見えている。」（第６頁右上欄７−１６行）
 （２ｈ）「以下の説明では、「標準」タブにタッチして「標準」対話進路ファイルばさみ２６０が選択されたものと仮定する。「現在ジョブ」ＪＯＢ状態で動作しているとき利用できる対話進路ファイルばさみのいろいろなファイルばさみ２６０は、所望するファイルばさみのタブをタッチすることによって選択できることは理解されるであろう。また、それぞれのファイルばさみ２６０は、アイコンの形で利用可能なプログラミング・オプションを有する１つまたはそれ以上のスコアカード２７０を含んでいる。利用可能なプログラミング・オプションの一部または全部は、以下に述べるプログラミング・オプションと同じものも、異なるものもある。」（第８頁右下欄１５行〜第９頁左上欄７行）
 （２ｉ）「一般に、選択された対話進路ファイルばさみ２６０に付随して、２つまたは３つのスコアカード２７０が提供される。各スコアカード２７０は、互いに重ねて配列された比較的小さいファイル・カードで構成され、より小さい第２のカードファイルを模擬している。各スコアカード２７０には、そのスコアカードで使用可能なプログラム進路オプションたとえば「プログラム」、「例外」、等を識別するタッチタブ２７２が付いている。タッチタブ２７２は、各スコアカードを識別し、互いに位置がずれているので、スコアカード・ファイル内のどの位置にあるかがわかる。さらにスコアカードのタブ２７２は、混同しないように対話進路ファイルばさみ２６０のタブ２６２とは形が異なっている。」（第６頁左下欄９行〜同右下欄３行）
　
　以上の記載から、引用例２には、
「それぞれ異なるモード（「標準」、「連続紙」、「オーバーサイズ」）に対応した複数のタブ２６２を相互にずらせて表示し、該タブ２６２の何れかをタッチすることにより、特定の「ファイルばさみ２６０」を選択して画面に表示させ、該特定の「ファイルばさみ２６０」の表示画面には、相互に異なる「プログラム・オプション」に対応した複数のタッチタブ２７２が、前記タブ２６２とは異なる形状にて、前記複数のタブ２６２と共に表示され、該タッチタブ２７２をタッチすることによりファイルばさみ２６０内に、前記「プログラム・オプション」に対応する複数のアイコンが表示され、該アイコンを選択的にタッチすることにより、前記ファイルばさみ２６０内の、前記アイコン表示部とは異なる「作業域」に、複数のプログラム選択アイコンが表示される。また、その状態で、任意のタブ２６２をタッチすることで、現在のファイルばさみ２６０の下に隠れている他のファイルばさみ２６０を画面上に表示することができる」
という、コピー機に於ける多機能・多項目設定・表示用のユーザーインターフェイスが記載されている。
　
（３）特開平３−３８７１５号公報（以下、「周知例１」という。）には、図面とともに次の記載がある。
 （３ａ）「本発明は、インテリジェントビル等において入口付近の壁面に取り付け、情報の提供やビル設備のコントロール操作を行うのに好適な埋め込み型のインテリジェントスイッチに関する。」（第２頁左上欄１７−２０行）
 （３ｂ）「本発明に係るインテリジェントスイッチの液晶表示板には、通常、第４図に示すようなトップメニュー画面が表示される。アイコン２１は、降雨中の表示を行うものであり、アイコン２２は、それぞれの選択肢２３に対応したイメージを表すものである。この表示画面において、アイコン２２又は選択肢２３の表示領域をタッチすることにより、そのタッチされた項目が選択され、さらに細部情報が展開表示される。このトップメニューは、「本日のお知らせ」、「ニュース速報」によりそれぞれの情報を提供し、「照明コントロール」、「空調温度調節」、「時間外空調ＯＮ／ＯＦＦ」により照明と空調の制御調整を行える例を示している。」（第４頁左上欄１６行〜同右上欄９行）
 （３ｃ）階層構造を持つ第１画面系列と、各階層画面への、他項目メニュー画面（他系列最上層画面）への画面選択キーの表示に関し；
「通常は、トップメニュー画面５１を表示しているが、この画面において、選択肢「本日のお知らせ」、「ニュース速報」、「照明コントロール」、「空調温度調節」、「空調ＯＮ／ＯＦＦ」等のいずれかがタッチ入力により選択されると、第６図に示すようにそれぞれのメニュー画面５２〜５６に切り換える。
　例えば「本日のお知らせ」のメニュー画面５２では、第７図（ａ）に示すように・・・項目選択のメニューを表示し、ここで、そのいずれかの項目が選択されると、同図（ｂ）〜（ｄ）に示すように具体的なそれぞれの選択項目に対応するお知らせ情報の画面５２′を表示する。・・・。
　上記のようにメニュー画面５２〜５６では、それぞれの項目選択のメニューを表示すると共に、画面が複数頁に及ぶ場合にそれらの画面を選択するための次頁キー及び前頁キー６１や他のメニュー画面を選択するためのメニュー画面選択キー６２も画面の端の方に表示される。」（第５頁右上欄１行〜同左下欄６行）
 （３ｄ）別の系列の最上層画面へのメニュー選択キー表示に関し；
「「照明コントロール」のメニュー画面５４では、第９図に示すようにそのフロアのレイアウト６３や操作対象領域のレイアウト６４と共に各種の選択キー６６を表示する。フロアのレイアウト６３では、・・・表示し、操作対象領域のレイアウト６４では、・・・表示６５を行う。各種の選択キー６６には、メニュー画面選択キーや・・・キー等が含まれる。」（第５頁右下欄２−１２行）
（３ｅ）「第１図に於いて、表示コントローラ４は・・・キャラクタ、パターンを表示画面に展開するものである。タッチパネル付液晶表示板６は、液晶表示板の前面にタッチパネルを装着したものであり」（第３頁右上欄下から３行目〜同左下欄４行） 
（３ｆ）第一画面系列である「本日のお知らせ」に於ける各階層画面へのメニュー画面選択キー（６２）表示を示す第７図（ａ）〜（ｄ）
（３ｇ）第２画面系列である「ニュース速報」に於ける各階層画面へのメニュー画面選択キー（６２）表示を示す第８図（ａ）〜（ｄ）
　
　以上のことから、周知例１には、
「「本日のお知らせ」表示機能では、メニュー画面５２に複数のお知らせ項目を選択するメニューが表示され、それらの何れかを選択すると、それぞれの内容を表示する画面５２’に切り替わる。そして、これらの何れの画面にも、他の表示・設定機能のメニュー画面５３〜５６への切換を行うメニュー画面選択キー６２が表示されており、該何れの画面からでも、該選択キーをタッチすることにより、現在表示されているものとは異なる表示・設定機能のメニュー画面５３〜５６に切り替えることができる。また、「ニュース速報」表示機能など、前記切り換え先の他のメニュー画面５３も、複数の選択メニューが表示され、それらを選択的にタッチすることにより該各選択メニューに対応した表示・設定画面へと表示が切り替わる。」
という、ビル管理システムに於ける多機能・多項目設定・表示用のユーザーインターフェイスが記載されている。
　
　
５．対比
　本願発明と引用発明１とを対比すると、引用発明１の
(a)「電子スコープ、ファイバスコープ、及びファイバスコープにテレビカメラが装着された機器」、(b)「電気メス及び熱凝固処置具」、(c)「ＣＶ−１００モード」、(d)「表示画面」、(e)「ＣＣＵモード」、(f)「画面切換キー」、(g)「ＣＶ−１００モードの表示をＣＣＵモードの画面に切り換えて表示する」こと
は、それぞれ本願発明の
(a)「複数の内視鏡機器」、(b)「内視鏡機器と共に使用される複数の周辺機器」、(c)「第１の操作実行画面」、(d)「表示手段」、(e)「第２の操作実行画面」、(f)「操作実行画面選択スイッチ」、(g)「表示手段における表示に拠らず、当該選択操作に対応した操作実行画面を表示する」こと、
に相当することが明らかである。
　
　また、本願発明では、表示手段に個々の画面を表示する制御を行う機能毎に、「第１の操作実行画面表示制御手段」、「第２の操作実行画面表示制御手段」、「第１の操作実行画面選択スイッチ表示制御手段」及び「操作実行画面選択表示制御手段」というように、前記表示を担う異なる「表示制御手段」を設定しているが、本願明細書に記載された本願発明の詳細な説明に於いて、前記表示制御機能毎に異なる「表示制御手段」に対応する個々に異なる具体的手段は明示されておらず、その一方で、明細書【００３０】などには、各画面の描画は「ホストコントローラ」で行う旨の記載がある。よって、本願発明は、前記各「表示制御手段」が、実質的に共通の「ホストコントローラ」即ちコンピュータ装置により実現されるという実施形態を少なくとも含むものであると解される。
　そうすると、引用発明１に於いて、画面切換キーの操作に従って各モードの画面切換キー付きの画面を、「制御用パソコン」のコマンドに従ってラップトップパソコンの表示画面上で切換えて表示する「ラップトップパソコン」は、本願発明に於ける、上記のとおり共通のコンピュータ装置により実現しうる「第１の操作実行画面表示制御手段」、「第２の操作実行画面表示制御手段」、「第１の操作実行画面選択スイッチ表示制御手段」及び「操作実行画面選択表示制御手段」なる各表示制御手段に相当すると認められる。
　
　よって両発明は、
（一致点）
「複数の内視鏡機器及び当該内視鏡機器と共に使用される複数の周辺機器を接続可能とし、これら複数の接続機器のうち接続された接続機器を制御する内視鏡システムにおいて、
第１の画面であって、前記複数の接続機器のうち所定の第１の接続機器に対応した複数の所定機能に係る操作の実行を指示するための複数の操作実行ボタンを有する第１の操作実行画面を所定の表示手段に表示する第１の操作実行画面表示制御手段と、
　前記第１の画面とは異なる第２の画面であって前記第１の接続機器とは異なる、前記複数の接続機器のうち所定の第２の接続機器に対応した複数の所定機能に係る操作の実行を指示するための複数の操作実行ボタンを有する第２の操作実行画面を前記表示手段に表示する第２の操作実行画面表示制御手段と、
　前記第１の操作実行画面表示制御手段により前記表示手段に表示される前記第１の操作実行画面と前記第２の操作実行画面表示制御手段により前記表示手段に表示される前記第２の操作実行画面との何れかを選択するための、前記各操作実行画面に対応して設けられた操作実行画面選択スイッチを前記表示手段に表示する第１の操作実行画面選択スイッチ表示制御手段と、
　前記操作実行画面選択スイッチの操作により、前記第１の操作実行画面が選択されたときは前記第１の操作実行画面表示制御手段を制御して当該第１の操作実行画面を前記表示手段に表示し、前記第２の操作実行画面が選択されたときは前記第２の操作実行画面表示制御手段を制御して当該第２の操作実行画面を前記表示手段に表示するよう制御する操作実行画面選択表示制御手段と、
　前記機能設定画面表示制御手段により前記表示手段に前記第１の機能設定画面が表示されているときに、前記第１の操作実行画面選択スイッチ表示制御手段を制御して、前記操作実行画面選択スイッチを前記表示手段に表示するよう制御する第２の操作実行画面選択スイッチ表示制御手段と、
　前記表示手段に前記操作実行画面選択スイッチが表示されている際に該操作実行画面選択スイッチによる前記操作実行画面の選択操作がされた場合、当該表示手段における表示に拠らず、当該選択操作に対応した操作実行画面を表示する操作実行画面強制表示制御手段と、
を具備したことを特徴とする内視鏡システム。」
である点で一致し、本願発明が、引用発明１が備えない下記の（１）〜（５）各点の構成を備えている点で相違する。
（相違点）
（１）第１、第２の各「操作実行画面」は、これらをそれぞれ最上層とする複数の画面の階層構造からなる「画面系列」を構成している点（ただし、「第２の操作実行画面」については、「画面系列最上層であるとの特定は為されているものの、該画面系列が複数の画面の階層構造を成しているとの特定は明示的には為されていない）。
（２）「第１の操作実行画面」表示時に、「第１の画面系列の中で前記第１の操作実行画面より下層に位置する画面であって前記第１の接続機器に対応する前記操作実行ボタンに係る機能の設定を行うための第１の機能設定画面を選択するための第１の機能設定画面選択スイッチ群を前記表示手段に表示するよう制御」する「機能設定画面選択スイッチ表示制御手段」を備えている点。
（３）「第１の機能設定画面選択スイッチ群の操作により、前記第１の機能設定画面が選択されたときは当該第１の機能設定画面を前記表示手段に表示するよう制御する機能設定画面表示制御手段」を備えている点。
（４）「機能設定画面表示制御手段により前記表示手段に前記第１の機能設定画面が表示されているときに、前記第１の操作実行画面選択スイッチ表示制御手段を制御して、前記操作実行画面選択スイッチを前記表示手段に表示するよう制御する第２の操作実行画面選択スイッチ表示制御手段」を備え、操作実行画面選択スイッチによる前記操作実行画面の選択操作がされた場合、当該表示手段における表示に拠らず、当該選択操作に対応した操作実行画面を表示する」制御が、「第２の操作実行画面選択スイッチ表示制御手段により前記表示手段に前記操作実行画面選択スイッチが表示されている際に」行われる点。
　
　
６．当審の判断
　上記各相違点について検討する。　　
［相違点（１）〜（３）について］
　相違点（１）〜（３）は、まとめると、本願発明が、第１，第２の接続機器にそれぞれ対応する第１、第２の各「操作実行画面」にそれぞれ階層構造を採用し、該各画面で各種機能の設定に関する全ての操作を行うのではなく、該各機能毎に前記「操作実行画面」の下層に「機能設定画面」を備え、前記「操作実行画面」には該各「機能設定画面」へ画面を切り換える「機能設定画面選択スイッチ群」を表示するようにし、「操作実行画面」に於いて前記「機能設定画面選択スイッチ群」の何れかを操作することにより、該操作されたスイッチに対応する前記下層の「機能設定画面」に表示が切り換えられる、という表示・操作システムを有しているのに対し、引用発明１が、接続機器の操作に関してはそのような表示・操作システムを有していない点に於ける相違であるといえる。
　しかし、機器の操作画面を階層構造とし、操作対象となる機能別に複数の階層系列を有すると共に、各階層の最上層の操作画面には、該各機能に関する複数の設定項目の選択キーを配列し、該画面に於いて希望する項目に対応するキーを選択し、操作することにより、該選択した項目の表示・設定に関する画面を表示することは、上記引用例１の（１ｆ）や引用例２，周知例１にも記載されたとおり、内視鏡装置を含む各種機器に於ける周知技術である。
　よって、引用発明１に於いて、本願発明に於ける「第１の操作実行画面」に相当するＣＶ−１００モード時の表示様式や、本願発明に於ける「第２の操作実行画面」に相当するＣＣＵモード時の表示様式にそれぞれ該周知の階層構造を採用し、表示画面に表示されている複数のキーに対応したステータス切換操作を、各キーについて切り替え表示した別の操作画面、即ち下階層の画面にて行うように変更することは、当業者が容易に想到し得たものである。
　したがって、上記相違点（１）〜（３）は、引用発明１に、内視鏡装置の分野を含む各種機器に於ける上記周知技術を適用することにより、当業者が容易に想到し得た事項である。
　
［相違点（４）について］
　タッチパネル式などの操作画面で多機能機器の操作を行う機器操作システムに於いて、相互に異なる複数種の機能それぞれについて、
(I)該機能に関する複数の設定・表示項目の選択キーを配列した画面の表示、
(II)該画面に於ける希望する項目の選択キー（スイッチ）の選択、
(III)該選択した項目の設定画面を表示
という手順で表示の切り替えと各種機能の表示・設定操作が行われるように表示画面の系列を階層構造化した際に、
(IV)該各階層の表示画面に於いて、他の機能の表示・操作画面の階層系列の最上層の画面に表示を切換えるキー（スイッチ）を表示し、
(V)該キーのタッチによりその時点での前記階層の深さや表示項目に関わらず前記切換を行う
ことを可能とするシステムは、当審の拒絶理由で引用した上記引用例２や、上記周知例１にも記載されたとおり、コピー機やビル入室管理システムなど、各種民生機器の操作インターフェイスとして周知のものである。
　そして、上記相違点（４）に係る構成のうち、
（４ａ）「前記表示手段に前記第１の機能設定画面が表示されているとき」
（４ｂ）「前記操作実行画面選択スイッチを前記表示手段に表示するよう制御する」こと
（４ｃ）「操作実行画面選択スイッチによる前記操作実行画面の選択操作がされた場合、当該表示手段における表示に拠らず、当該選択操作に対応した操作実行画面を表示する」こと
には、それぞれ上記周知技術に於ける（III）、（IV）、（V）が相当する。
　また、上記（４ａ）〜（４ｃ）の各表示を司る「機能設定画面表示制御手段」、「第１の操作実行画面選択スイッチ表示制御手段」及び「第２の操作実行画面選択スイッチ表示制御手段」は、上述のとおり、本願発明に於いてはすべて共通の「ホストコントローラ」即ちコンピュータ装置により実現されるという実施形態を少なくとも含むものであると解される。そして、上記周知の操作インターフェイスに於いても、上記（III）、（IV）、（V）に係る各表示画面の表示制御に、コンピュータ装置やＣＰＵなどからなる表示制御装置が用いられていることは、上記（３ｅ）の記載事項からみても明らかである。
　
　よって、引用発明１に於ける、それぞれ複数の機能の設定に対応する複数のキーを備えた「ＣＶ−１００モード」及び「ＣＣＵモード」なる各操作実行画面に対し、該周知例１記載の如き周知技術を採用して、それぞれ各機能について、その設定を行うための下層画面である操作実行画面を生成するように、各モード毎の複数系列の階層構造化を行い、さらに各系列の下層画面に、他系列、即ち他モードの階層系列の最上層画面への表示切り替えキーを合わせて表示し、該キーの操作により前記他モードの系列の最上層画面へと表示画面を切換えることを可能とすることは、当業者が容易に為しうることである。
　したがって、上記相違点（４）の構成は、引用発明１に上記操作画面の階層表示に関する周知技術を適用することで、当業者が容易に想到し得た事項である。
　
　ところで、上記各相違点に関し、請求人は、審判請求理由に於いて、引用例２と本願発明とは技術分野が異なるため適用容易性に欠ける旨主張している。本願発明が「内視鏡」という技術分野に属するとした場合、それと技術分野が異なるという点では、上記周知例１も同様であるといえる。
　しかし、本願発明に於ける、内視鏡という分野に直接関係する構成要件は、
「複数の内視鏡機器及び当該内視鏡機器と共に使用される複数の周辺機器を接続可能とし、これら複数の接続機器のうち接続された接続機器を制御する」
という点のみであり、該構成要件は、引用例１にも記載されたとおりの、内視鏡システムとして一般的な構成に過ぎない。そして、上記相違点を含むその他の構成要件は、複数の機器や機能を有する装置の操作・設定手段に関するユーザーインターフェイスに関するものであり、本願発明が属する内視鏡システムに格別に特化した特定事項を備えるものではない。このことから、本願発明の、周知技術など先行技術との比較に於ける主要な構成要件は、内視鏡システムに関するものではなく、前記ユーザーインターフェースに関する構成要件であり、この点に於いて、上記引用例２や周知例１に例示される周知技術と分野を共通とするものであるし、複数機能間の設定・参照操作を機動的に切り換えるという課題、作用の面に於いても、本願発明と前記周知技術とは共通するものである。
　よって、引用発明１のユーザーインターフェイスに対し、引用例２や周知例１に記載された上記多分野にわたるユーザーインターフェイスに関する周知技術を、単に適用することにより、上記各相違点の構成とすることは、「内視鏡システム」という本願発明の属する分野や、本願発明が前提とする内視鏡技術に特化させるために格別の変更を加えることもなく、当業者が容易に想到し得たものであるということができるのであり、引用例２と本願発明との技術分野相違に関する請求人の上記主張はあたらない。
　
　そして、本願発明の作用効果も、引用発明１及び上記周知技術から当業者であれば予測できる範囲のものである。
　
　
７．むすび
　以上のとおりであるから、本願発明は、引用発明１及び周知技術から、当業者が容易に発明することができたものである。
　したがって，本願は，請求項２、３に係る発明について審理するまでもなく、当審で通知した上記拒絶の理由によって拒絶をすべきものである。
　よって，結論のとおり審決する。